(57)【特許請求の範囲】
【請求項１】
複数チャネル分の伝送帯域を使用して伝送する番組に対し、当該番組の番組情報を前記複数チャネルのうち１つのチャネルにのみ記述し、他のチャネルには、前記番組情報が記述されているチャネルの情報を参照するよう記述したリンク情報を付けた番組情報を作成する番組情報作成部と、
前記番組情報作成部から出力された番組情報を映像音声に多重化してトランスポートストリームとして伝送する多重化部と、
を備える番組情報作成伝送装置。
【請求項２】
複数チャネル分の伝送帯域を使用して伝送する番組に対し、当該番組の番組情報を前記複数チャネルのうち１つのチャネルにのみ記述し、他のチャネルには、前記番組情報が記述されているチャネルの情報を参照するよう記述したリンク情報を付けた番組情報を作成するステップと、
前記番組情報を作成するステップから出力された番組情報を映像音声に多重化してトランスポートストリームとして伝送するステップと、
を含む番組情報作成伝送方法。
【発明の詳細な説明】
【０００１】
【発明の属する技術分野】
本発明は、番組情報を映像音声に多重化付加して放送を行なう放送システムに関し、特に番組情報を作成し伝送する番組情報作成伝送装置並びに伝送されてきた番組情報を受信し番組表を表示する番組情報受信装置に関するものである。
【０００２】
【従来の技術】
デジタル衛星放送ではMPEG2で映像音声を放送する。MPEG2ではパケット多重化した複数の映像音声を一本のトランスポートストリーム(TS)として流す。この際、映像音声のパケット以外に、番組情報（映像音声情報を多重化して伝送するが故に必要な制御情報と番組表を作成するためのEPG情報であり、MPEG2とDVBで規定されている）が流される。番組情報はセクション形式テーブル(セクションについてもMPEG2やDVBで規定されている)で記述される。
【０００３】
放送局センターシステムを含む一般的なデジタル放送システムは、たとえば以下のような特許文献１に開示されている。
【０００４】
【特許文献１】
国際公開第９６／３４４８６号パンフレット
【０００５】
図３３は上記のような特許文献１と同種の放送局センターシステムを含む一般的なデジタル放送システムの構成を示したものである。図３３において、放送局センターシステムは、映像音声系（図中、映像ストリーム生成システム）と、番組情報系（図中、ＥＰＧ生成送出システム）を別システムとして作成し、それぞれが多重化装置（図中、ＴＳマルチプレックサ、アップリンクシステム）に出力される構成を採っている。番組スケジュール情報は、図示されている３つのシステムを制御する映像、番組情報編成システムが作成・保持しており、番組情報系（ＥＰＧ生成送出システム）は、映像、番組情報編成システムから番組スケジュール情報をもらい、番組情報（映像音声情報を多重化して伝送するが故に必要な番組情報と番組情報作成のための付加情報）を作成する。作成した番組情報は、ＴＳマルチプレックサー、アップリンクシステムに送出され、衛星を通じて各家庭の受信機(ＩＲＤ)で受信される。受信機(ＩＲＤ)の構成については、後述する。
【０００６】
なお、図３３において、暗号鍵管理生成システムと課金情報収集システムについては本発明には特に関係ないので説明を省略する。
【０００７】
【発明が解決しようとする課題】
ところで図３３に示される一般的なデジタル放送システムにおける番組情報は、１つの番組情報作成部で作成され、全放送事業者の番組が載った番組表(以下、共通番組表と呼ぶ)が表示されるようになっていたので、放送事業者個々の番組表(以下、個別番組表と呼ぶ)を表示させることができないという問題があった。また、放送事業者が幾つかの様々なサービスを提供できる体制ができていても、番組表ではすべて同じような形式にて表示されるか、せいぜいHDTVなどのサービス種が表示されるにすぎず、番組表操作上サービスの違いがわかりにくいという問題があった。
【０００８】
本発明は、上記問題を解決するために、複数チャネル分の伝送帯域を使用して伝送する番組の番組情報を複数チャネルのうち１つのチャネルにのみ記述し、他のチャネルには、番組情報が記述されているチャネルの情報を参照するよう記述したリンク情報を付けた番組情報を作成し、これを伝送して伝送効率を向上させることができる番組情報作成伝送装置を提供することを目的とするものである。
【０００９】
【課題を解決するための手段】
上記課題を解決するために、本発明は、複数チャネル分の伝送帯域を使用して伝送する番組に対し、当該番組の番組情報を前記複数チャネルのうち１つのチャネルにのみ記述し、他のチャネルには、前記番組情報が記述されているチャネルの情報を参照するよう記述したリンク情報を付けた番組情報を作成する番組情報作成部と、前記番組情報作成部から出力された番組情報を映像音声に多重化してトランスポートストリームとして伝送する多重化部と、を備えることを特徴とする。
【００１０】
このように、本発明は、１つのチャンネルだけに番組情報を記述するので、伝送する番組情報の重複をなくして伝送効率を向上させることができる。
【００１１】
【発明の実施の形態】
本発明の請求項１に記載の発明は、複数チャネル分の伝送帯域を使用して伝送する番組に対し、当該番組の番組情報を前記複数チャネルのうち１つのチャネルにのみ記述し、他のチャネルには、前記番組情報が記述されているチャネルの情報を参照するよう記述したリンク情報を付けた番組情報を作成する番組情報作成部と、前記番組情報作成部から出力された番組情報を映像音声に多重化してトランスポートストリームとして伝送する多重化部と、を備える番組情報作成伝送装置としたものであり、番組情報を複数チャネルのうち１つのチャネルにのみ記述するので、伝送する番組情報の重複をなくして伝送効率を向上させることができるという作用を有する。
【００１２】
本発明の請求項２に記載の発明は、複数チャネル分の伝送帯域を使用して伝送する番組に対し、当該番組の番組情報を前記複数チャネルのうち１つのチャネルにのみ記述し、他のチャネルには、前記番組情報が記述されているチャネルの情報を参照するよう記述したリンク情報を付けた番組情報を作成するステップと、前記番組情報を作成するステップから出力された番組情報を映像音声に多重化してトランスポートストリームとして伝送するステップと、を含む番組情報作成伝送方法としたものであり、番組情報を複数チャネルのうち１つのチャネルにのみ記述するので、伝送する番組情報の重複をなくして伝送効率を向上させることができるという作用を有する。
【００１３】
以下、本発明の実施の形態について、図面を用いて説明する。
【００１４】
（第１の実施の形態）
図１は、本発明の第１の実施の形態の放送センタ側の全体構成を示す。図１において、番組情報作成部(従来技術のＥＰＧ生成送出システムに対応)１は、番組情報詳細度設定情報４と事業者サービス対応情報５に基づいて、サービス単位でactual/other用の番組情報を作成する。ここでいうactualとは、放送事業者が提供するサービスが実際に放送されているトランスポートストリーム(TS)のことであり、また、otherとは、放送事業者が提供するサービスが放送されていないTSのことである。
【００１５】
また、番組情報詳細度設定情報４は、あらかじめ番組情報詳細度５により、サービス単位で簡単／詳細を指定して、番組情報作成部１で番組情報の項目をつける／つけないの制御を行なえるように設定される。設定される情報として、たとえば、
番組情報詳細度５の例：
サービス100 -> １日分、簡単
サービス101 -> ７日分、詳細、シリーズあり
さらに以下のようにactual、other別にも設定できるようにする。
【００１６】
番組情報詳細度５の例：
0003958249.tif 000002
番組情報作成部１は、これらが記述された番組情報詳細度設定情報４にしたがって、SDT(Service Description Table)、EIT(Event Information Table)の各テーブルを作成する。またシリーズ番組に関するテーブルを送出する／しないを判断する。例えば、番組情報詳細度が図中５に示されるようなケースでは、サービス100に関しては、図２(actualのSDTとEIT)、図３(otherのSDTとEIT)を作成する。サービス101に関しても図示はしていないが、同様にactualのSDTとEIT、otherのSDTとEITを作成する。
【００１７】
また、番組情報作成部１は、番組スケジュール情報６にある事業者サービス対応情報７にしたがって送出先情報を作成する。事業者サービス対応情報７では、「サービス100はTS1、サービス101はTS10で伝送する」と記述されているので、送出先情報は、
サービス100のactualのSDTとEIT  ：TS1
サービス100のotherのSDTとEIT   ：TS1以外
サービス101のactualのSDTとEIT  ：TS10
サービス101のotherのSDTとEIT   ：TS10以外
となる。番組情報作成部１は、番組情報と送出先情報を番組情報送出部２に出力する。番組情報送出部２では、送出先情報に従って、番組情報を該当するTSに出力する。これにより、サービスを提供している放送事業者と同じ放送事業者が提供するサービスが放送されているTSには詳しい番組情報を、放送されていないTSには簡単な番組情報を流し、全TSのどれかにチューニングすると、各放送事業者の簡単な番組情報が含まれる共通番組表が実現でき、また実際にサービスが放送されているTSにチューニングすると、そのTS内のサービスの詳細な番組情報（個別番組表）を実現できる。上記例では、１放送事業者が１サービスだけを提供しているが、例えば図１の事業者サービス対応情報７に
フジサン  ：サービス100(TS1)とサービス102(TS3)
日本丸TV  ：サービス101(TS10)
のように記述されていた場合には、
サービス100のactualのSDTとEIT  ：TS1とTS3
サービス100のotherのSDTとEIT   ：TS1とTS3以外
サービス101のactualのSDTとEIT  ：TS10
サービス101のotherのSDTとEIT   ：TS10以外
サービス102のactualのSDTとEIT  ：TS1とTS3
サービス102のotherのSDTとEIT   ：TS1とTS3以外
に伝送される。
【００１８】
なお、上記説明では番組情報詳細度５によりサービス単位での番組情報の詳細度を指定していたが、番組スケジュール情報６において情報つける／つけないを切替えることによっても実現できる。
【００１９】
これにより、図３２に示すように共通番組表は各TSに流れるotherレベルの番組情報(例えば１日分を簡単に記述したもの)を全局分まとめることによって作成できる。
【００２０】
また、図３２に示すように個別番組表は各TSに流れるactualレベルの番組情報(そのTSに流れているサービスが含まれるブーケに属するサービスだけのもので、例えば７日分を詳細に記述したもの)を各放送事業者分でまとめることによって作成できる。
【００２１】
（第２の実施の形態）
図４は、本発明の第２の実施の形態の放送センタ側の全体構成を示す。第２の実施の形態に係る番組情報作成部は、上記第１の実施の形態に係る番組情報作成部を分散化してシステムを構成したものに相当する。
【００２２】
図４においては、番組情報作成部１が放送事業者ごとに存在し、それぞれの番組情報作成部１は自局の番組スケジュールから番組情報のactual/other用(actual/otherの意味は上記第１の実施の形態で説明したのと同じ)を作成し、番組情報多重化部２’に送る。
【００２３】
番組情報多重化部２’は、図１の事業者サービス対応情報７を保持し、それを参照して適切なTS(actualはサービスを提供している放送事業者と同じ放送事業者が提供するサービスが放送されているTS、otherはサービスを提供している放送事業者と同じ放送事業者が提供するサービスが放送されていないTS)として多重化して多重化・変調部３に向けて送出する。
【００２４】
この実施の形態では、各放送事業者は、他の放送事業者の運用方法や番組編成の変更などに影響を受けずに番組情報を作成することが可能となる。また、単なる詳細度ではなく、各放送事業者ごとに番組情報の内容をきめこまかく設定することができる。
【００２５】
（第３の実施の形態）
図５は本発明の第３の実施の形態の放送センタ側の全体構成を示す。第３の実施の形態に係る番組情報作成部は、基本的には、上記第２の実施の形態に係る番組情報作成部の構成と同じである。
【００２６】
図５において、第３の実施の形態に係る番組情報作成部は、各放送事業者が作成したい番組情報のうち共通部分(共通番組情報)を作成する番組情報作成部１’をさらに備えるようにする。その結果、各放送事業者では、共通部分を作成する必要がなくなる。なお、番組情報のうち共通部分としては、ネットワーク内での共通のテーブル、たとえば、NIT(ネットワークに含まれるTSへのチューニング情報やネットワーク名などを記述)やBAT(放送事業者が提供するサービスとそのサービスが含まれるTSの一覧やブーケ名などを記述)が考えられる。
【００２７】
番組情報多重化部２’は、各放送事業者が作成した番組情報と、共通番組情報を多重化して多重化・変調部３に向けて送出する。
【００２８】
このように本実施の形態では、共通番組情報の共通部分を各放送事業者で作成する必要がなくなるので、各放送事業者の作業が軽減される。また、ネットワーク内での共通のテーブルであるNIT、BATは、変更が稀であるので、一個所で作成して矛盾が起こらないようにできる。また、TDT(受信時の時刻を記述するテーブル)は各放送事業者がそれぞれ作成していては時刻がずれる可能性もあるが、それを回避できる。
【００２９】
（第４の実施の形態）
図６は、デジタル放送システムにおける受信端末装置の一般的な構成を示すものである。デジタル放送システムにおいては、MPEG2のトランスポートストリーム(TS)によって、映像音声などのプログラムと、PSI(MPEG2によって規定されたテーブル群)とSI(DVBによって規定されたテーブル群)が多重化されて放送されている。PSIとSIのテーブルは、繰り返し同じ内容が放送され、PSIとSIのテーブルにはバージョン番号が付いており、内容が変わるとバージョン番号が更新されるようになっている。
【００３０】
図６において、受信端末装置は、アンテナ610と、表示装置(TVモニタ)620と、リモコン装置630と、放送受信端末600から構成される。そして、放送受信端末600は、デジタル放送信号をチューニングするためのチューナ601と、チューニングしたデジタル放送信号を復調するための復調回路602と、復調した信号のうち映像音声信号と番組情報とを分離するためのデマルチプレクサ603と、映像音声信号をデコードするためのＡＶデコーダ604と、番組情報からセクション情報をデコードするためのセクションデコーダ605と、メモリ606と、放送受信端末600の各構成要素を制御するためのＣＰＵ608と、リモコン装置630からリモコン信号を受光する受光部607とから構成されている。
【００３１】
放送受信端末600は、電源が入っている間は衛星(図示せず)からの放送信号をアンテナ610より受信し、チューナ601によって同調を行ない、復調回路602によって復調しているTSの内容から、デマルチプレクサ603によって分離したセクションに含まれているSI(DVBによって規定されたテーブル群)をセクションデコーダ605によってデコードしてメモリ606に蓄える。すなわち、放送受信端末600は、テーブルを監視し、バージョン番号を見て、最新のSIテーブルをメモリ606に格納する。テーブルは、MPEG2やDVBによってパケット_IDの値やテーブル_IDの値が決められているものや、他のテーブルにパケット_IDの値が記述されているものがあり、これらの値によってTS内からパケットを拾い集め、テーブルを構築し、テーブル_IDからテーブル種を特定できる構成になっている。したがって、メモリ606には常に最新のNIT(Network Information Table)、SDT(Service Description Table)、EIT(Event Information Table)などのテーブルが格納される。
【００３２】
上記第１の実施の形態で説明したセンタ側の番組情報生成伝送装置により、図７と図８に示されるような、放送事業者サービス対応テーブルであるBAT(Bouquet Association Table：ブーケ名、ブーケ(放送事業者ごと)に含まれるサービスの一覧などが記述される)等の共通番組情報と、ブーケに含まれるサービスだけのEIT(Event Information Table)、SDT(Service Description Table)などの個別番組情報が作成され送出されているものとする。なお、図７に示されているPAT(Program Association Table)、PMT(Program Map Table)、ES(Elementary Stream)は、MPEG2によって規定されているものである。したがって、伝送されるトランスポートストリーム(TS)の様子は図９のようになる。
【００３３】
これらの番組情報（テーブル群）を受信した図６に示す放送受信端末600は、個別番組表を以下の手順にしたがって作成する。
【００３４】
▲１▼放送受信端末600のＣＰＵ608は、まず、BATを受信。
【００３５】
▲２▼現在視聴しているサービス番号を含むブーケの全サービス番号を取得。
【００３６】
▲３▼ＣＰＵ608は、所定サービス番号のサービスに関する番組情報、SDT、
EITから、個別番組表を生成してモニタ620に表示。
【００３７】
上記の作成手順により視聴者がＢ局を選択した場合に表示されるTV画面での個別番組表の摸式図を図１０に示す。サービス名についてはSDTから取得し、番組の番組名や番組の開始時刻、番組長などについてはEITから取得して表示している。
【００３８】
なお、本実施の形態では、個別番組情報が放送されており、それを受信することにより実現されているが、電話回線などの他のネットワークにより伝送したり、ＤＶＤやＦＤなど蓄積媒体により入力してもよい。
【００３９】
このように本発明の第４の実施の形態では、各放送事業者の個別番組表をその放送事業者のサービスの視聴中に限って表示することができるため、一方の放送事業者のサービス視聴中に、他の放送事業者の番組表を表示してサービス視聴を妨げるといった放送事業者間のトラブルを避けることが可能となる。
【００４０】
（第５の実施の形態）
本発明の第５の実施の形態は、ブーケが選択されたときに放送受信端末が自動的にある一つのサービスに選局するよう構成したものである。図１１は、本発明の第５の実施の形態を説明するための放送事業者サービス対応テーブルであるBAT(Bouquet Association Table)を示すものである。図１１において、放送事業者サービス対応テーブルであるBATにデフォルト選局フラグをつける。例えば、視聴者がＡ局を選択した場合には、デフォルト選局フラグが○になっているサービス_IDが１のサービスを選局する。
【００４１】
また、視聴者がＢ局を選択した場合で、デフォルト選局フラグが○になっているサービス_IDが４のサービスを選局する。
【００４２】
図１１では放送事業者サービス対応テーブルであるBATにデフォルト選局フラグをつけているが、図８に図示したトランスポートストリームサービス対応テーブルであるSDTにデフォルト選局フラグを付与してもよい。その結果、TV画面は、図１２の模式図に示されるようになる。すなわち、フジサンを視聴中に日本丸TVを選択すると、日本丸TVに移った時に日本丸TVで指定したサービス_IDが１のサービス(チャンネル)が画面に自動的に選局される。
【００４３】
このように本発明の第５の実施の形態では、最初に表示されるチャネルを放送事業者が指定できるため、注力するチャネルを視聴させるなどの宣伝などに有効利用できる。
【００４４】
（第６の実施の形態）
本発明の第６の実施の形態は、デフォルト選局フラグではなく、サービスを視聴する視聴者属性を付与するよう構成したものである。すなわち、第６の実施の形態では、ブーケ(放送事業者)を選択したときに、放送受信端末のＣＰＵ608は、メモリ606にあらかじめ設定されたもしくは外部より入力された視聴者属性と、受信したテーブルに付与された番組の視聴方法である視聴者属性を比較し、一致したサービスを選局するよう構成する。
【００４５】
このように本発明の第６の実施の形態では、放送事業者独自の番組表において、視聴者の好みに合わせた番組を自動選局することができる。
【００４６】
（第７の実施の形態）
本発明の第７の実施の形態は、デフォルト選局フラグではなく、サービスのジャンルを付与するよう構成したものである。すなわち、第７の実施の形態では、放送受信端末のＣＰＵ608は、メモリ606にあらかじめ設定された、もしくは外部より入力された、もしくは視聴履歴から判断した視聴者の好むサービスジャンルに一致するサービスに選局するよう構成する。その結果、TV画面は、図１２の模式図に示されるようになる。すなわち、フジサンを視聴中に日本丸TVを選択すると、日本丸TVに移った時に日本丸TVで指定したサービス_IDが１のサービス(チャンネル)が画面に自動的に選局される。
【００４７】
このように本発明の第７の実施の形態では、放送事業者独自の番組表において、視聴者の好みに合わせた番組を自動選局することができる。
【００４８】
（第８の実施の形態）
本実施の形態の説明に入る前に、本実施の形態の背景について説明する。通常番組３チャネルの後、３チャネル分の伝送帯域を多く使うハイビジョン(HDTV)番組１チャネルを実施し、通常番組を実施しなくなる場合、番組表では前記３チャネルのどれでもハイビジョン(HDTV)を流していると見せるとわかりやすい。しかし同一の番組情報を３チャネル分送出すると無駄な伝送帯域を使うことになる。
【００４９】
そこで、本発明の第８の実施の形態は、センタ側の番組情報作成伝送装置において、３つの帯域を使用する番組の情報はあるチャネルの番組の番組情報だけに記述しておき、他のチャネルの番組は番組の情報が記述されているチャネルの情報を参照するようEIT(Event Information Table)に記述する。すなわち、図１３において、サービス_ID７及びサービス_ID８のイベントリンク情報欄に、「サービス６、TS30のイベント40を参照」というように、センタ側の番組情報生成伝送装置において、EIT(Event Information Table)にイベントリンク情報をつけたEITを生成する。そして、EITにイベントリンク情報がついている際に、そのイベントを番組表で表示したり、番組表上で指定された場合にはリンク先のイベント情報を処理対象とするよう構成する。なお、イベントとは、DVB(ヨーロッパのデジタル放送の規格)の用語であって、番組と同義である。
【００５０】
上記のようなEITが放送受信端末600で受信された場合には、受信端末のＣＰＵ608はEITを見て番組の放送スケジュールを得、イベントリンク情報が存在する場合は、同一番組と認識して、番組表を作成する。また、リモコン装置603により番組表上で前記イベントが指定された場合にはリンク先のイベント情報を処理対象として選局することになる。
【００５１】
なお、本実施の形態では、イベントリンク情報により同一番組であることを知らされているが、同一番組グループ情報を別に作成するなどによっても実現できる。
【００５２】
このように本発明の第８の実施の形態では、伝送する番組情報の重複をなくせるので、伝送効率が向上する。
【００５３】
（第９の実施の形態）
上記第８の実施の形態に示したように、EITにおいてサービス(チャンネル)７、８の番組にはサービス(チャンネル)６の番組へのイベントリンク情報が付与されている(図１３参照)。そこで、本発明の第９の実施の形態では、放送受信端末600がそのようなEITを受信したら、受信端末のＣＰＵ608は、図１４に示されるように、EITを見て番組の放送スケジュールを得、リンク先のイベント情報が存在する場合はリンク先の情報を処理対象として番組表を作成する。すなわち、サービス(チャンネル)７、８にはイベントリンク情報としてサービス(チャンネル)６の番組にリンクしているので、６、７、８が同一番組であると確認でき、３つのサービス(チャンネル)６〜８が連結されて番組表に表示される。その結果、４時、５時台において「HDTV」が連結（リンク）されて表示される。その結果、表示されるTV画面は”まだら”模様になる。
【００５４】
なお、本実施の形態では、イベントリンク情報により同一番組であることを知らされているが、同一番組グループ情報を別に作成するなどによっても実現できる。
【００５５】
このように本発明の第９の実施の形態では、同一番組は１つとして記述されるため、番組表がわかりやすくなる。
【００５６】
（第１０の実施の形態）
本発明の第１０の実施の形態では、センタ側の番組情報生成伝送装置のEIT作成において、サービス(チャンネル)１、２、４の16時、17時台の番組が同じ番組を参照するようイベントリンク情報が付与されている場合(どれか一つに番組情報の実体が記述されていても良い)には、図１５に示されるように、TV画面に表示される番組表上では、視聴者がサービス(チャンネル)１、２、４のいずれかの番組を選択するとすべての番組が選択状態になるよう構成したものである。
【００５７】
なお、本実施の形態では、イベントリンク情報により同一番組であることを知らされているが、同一番組グループ情報を別に作成するなどによっても実現できる。
【００５８】
このように本発明の第１０の実施の形態では、番組表でチャネルが離れてレイアウトされていても同一番組のいずれか１つを選択するだけで同じ番組であることが表示されるため、番組表上での”まだら”番組の選択がわかりやすくなる。すなわち、同一番組は１つとして動作されるため、番組表がわかりやすくなる。
【００５９】
（第１１の実施の形態）
本発明の第１１の実施の形態では、図１６に示されるように、センタ側の番組情報生成伝送装置において、番組単位で帯域情報欄を設けるようにしたEIT(Event Information Table)を作成して伝送するようにしたものである。
【００６０】
放送受信装置においては、上記のようなEITを受信し、その番組の帯域情報によりTV画面に表示する番組表の番組の幅を設定する。その結果として、表示されるTV画面での番組表は図１７のようになる。すなわち、番組の表示幅が帯域幅に比例するようにしている。
【００６１】
また、SDT(Service Description Table)にチャンネル(サービス)ごとの帯域情報を付与し、それによって番組表を表示しても良い。その場合は、図１８のようにチャンネル(サービス)ごとに表示幅が異なる番組表になる。
【００６２】
また、ＡＶデコーダ604が各番組のAV情報より取得する帯域情報を利用しても良い。また本実施の形態では、帯域情報を表示幅として表示することにより品質を表示したが、帯域情報をサービス種として、また表示幅以外にも色、アイコンなどのマークなどにより品質を表示することも可能である。SDTにサービス種を記述しておき、サービス種と表示幅対応表(図１９参照)をあらかじめ放送するか、或いは放送受信端末600のメモリ606に組み込んでおいて、サービス種により対応表から表示幅比を得てチャンネルごとに番組表上での表示幅を調節して表示することなども可能である。
【００６３】
このように本発明の第１１の実施の形態では、サービスのデータを伝送する際に必要となる帯域により番組表の表示を変化させることにより、品質が一目でわかるようになり、視聴者の番組選択がしやすくなる。
【００６４】
（第１２の実施の形態）
本発明の第１２の実施の形態では、放送受信端末装置において、図２０に示されるように、放送事業者、時間、伝送帯域幅による３次元で番組表を表示するよう構成したものである。３次元表示ブロックの側面に、番組のプロモーションを表示することも可能である。
【００６５】
また、視聴者の選択に応じて例えば放送事業者Ｂ局の番組表を前面に持ってきたり、放送事業者Ａ局の中でも右端（プロモーションが表示される）に持ってくるチャンネルを変更することも可能である。すなわち、放送事業者、時間、伝送帯域幅に関してテーブルにて放送されてくるので、放送受信端末装置においては、放送事業者、時間、伝送帯域幅の情報を基にＣＰＵ608はプログラム制御により上記したような表示を実現することができる。
【００６６】
このように本発明の第１２の実施の形態では、上記第１１の実施の形態の効果に加えて、放送事業者が複数存在することが一目でわかるようになる。また、三次元であることを利用して、プロモーション画面の表示などを行なうこともできる。
【００６７】
（第１３の実施の形態）
本発明の第１３の実施の形態では、上記第９の実施の形態により得られた番組表を表示する放送受信端末装置において、図２１（ａ）に示されるように、４時台にリモコン装置630の矢印キーなどでチャンネルを１から順に移動させると、従来ならばチャンネル１(番組100)→チャンネル２(番組101)→チャンネル３(番組102)→チャンネル４(番組103)→チャンネル５(番組104)のように選局されて、同じ番組が画面に連続して表示されるところ、図２１（ｂ）に示されるように、TV画面上、または放送受信端末のチャンネル表示部(図示していない)にチャンネル１(番組100)→チャンネル２(番組105)→チャンネル５(番組104)のようにチャンネル３、４の選局動作を省き、同じ番組は一度しか表示されないようにしたものである。
【００６８】
このように本発明の第１３の実施の形態では、視聴者が同じ画面を何度も見なくても済むようになる。
【００６９】
（第１４の実施の形態）
本発明の第１４の実施の形態では、上記第９の実施の形態により得られた番組表を表示する放送受信端末装置において、図２１（ａ）に示されるように、４時台にリモコン装置630の矢印キーなどでチャンネルを１から順に移動させると、従来ならばチャンネル１(番組100)→チャンネル２(番組101)→チャンネル３(番組102)→チャンネル４(番組103)→チャンネル５(番組104)のように表示されて、同じ番組が画面に連続して表示されるところ、図２１（ｃ）に示されるように、TV画面上、または放送受信端末のチャンネル表示部(図示していない)にチャンネル１(番組100)→チャンネル２、３、４(番組105)→チャンネル５(番組104)のように表示させるようにしたものである。
【００７０】
さらに、チャンネルを直接指定した場合でも同様である。（チャンネル２、３、４のいずれかのチャンネルを指定した場合には、”２、３、４”と表示される。）また本実施の形態では、サービス識別情報としてチャンネル番組を利用したが、サービス名やサービスロゴなどにより表示することも可能である。
【００７１】
このように本発明の第１４の実施の形態では、サービス番号の表示がとびとびになってしまってわかりにくいという課題を解消することができる。
【００７２】
（第１５の実施の形態）
いま、実際のサービスが図２２のように構成されているものとする。その場合、図２３に示すように、サービス_IDが101、103のサービスは、TS_IDが３のTS、サービス_IDが900〜903のサービスはTS_IDが５のTSに伝送される。サービス_IDが900〜903のサービスは、サービス_IDが103のサブサービスで、サービス_IDが103のサービスは例えば音楽番組などのプロモーションサービスである。
【００７３】
そこで本発明の第１５の実施の形態では、センタ側の番組情報生成伝送装置において、たとえば、12時からの音楽１(サービス_ID:900)、音楽２(サービス_ID:901)、音楽３(サービス_ID:902)、音楽４(サービス_ID:903)を、サービス_ID:103の”音楽”としてグルーピングしたいときには、SDTを図２４、図２５と記述し、EITを図２６、図２７、図２８のように記述する。
【００７４】
すなわち、図２４はサービス_IDが101、103についてのメインサービス(上位のサービス)だけに関するもので、図２５は、サービス_IDが101、103およびサービス_IDが900〜903についてのメインサービスとサブサービスに関するものである。
【００７５】
図２６はサービス_IDが101であるサービスに関するEITを記述している。また、図２７はサービス_IDが103であるサービスに関するEITを記述している。更に図２８はサービス_IDが900〜903に関するEITを記述している。
【００７６】
このように本発明の第１５の実施の形態では、番組を階層化して記述できるよう構成したものである。また第１５の実施の形態では、番組を階層化して記述するように書いているが、番組に限らずサービスの階層化も同様に可能である。
【００７７】
このように本発明の第１５の実施の形態では、サービスが多く存在する場合に、番組表を見やすくすることができ、また視聴者の局及び番組選択を容易にする。
【００７８】
（第１６の実施の形態）
本発明の第１６の実施の形態は、上述した図２４から図２８の各種テーブルのセンタ側の番組情報生成伝送装置における伝送方法に関してのものである。すなわち、本発明の第１６の実施の形態では、センタ側の番組情報生成伝送装置において、メインサービスに関する番組情報は、すべてのTSに伝送し、サブサービスに関する番組情報は実際にサブサービスが流れているTSのみに伝送するよう構成したものである。なお、TSとサービスの対応はあらかじめ入力される。
【００７９】
本実施の形態では、図２４のSDT(Service Description Table)並びに図２６、図２７のEIT(Event Information Table)はTS_IDが３のTSに流し、図２５のSDT(Service Description Table)と図２８のEIT(Event Information Table)はTS_IDが５のTSに流す。したがって、サービスと番組情報の伝送イメージは図２３、図２９に示されるようになる。
【００８０】
このように本発明の第１６の実施の形態では、メインサービス（上位サービス）は共通番組表として、サブサービス（下位サービス）は個別番組表として表示することが可能となる。
【００８１】
（第１７の実施の形態）
上記第１６の実施の形態では、実際にサービスが伝送されているTSだけにサブサービスの番組情報を流すものであったが、本発明の第１７の実施の形態では、これを同じ放送事業者が提供しているサービスが含まれるTSにだけ流すよう構成したものである。
【００８２】
すなわち、図３０において、図中黒塗り星印を付した、サービス_IDが101、103、サービス_IDが103のサブサービスである900、901、902、903、サービス_IDが105であるサービスを放送事業者Ａが提供していて、図中黒塗り矩形を付した、サービス_IDが106のサービスを放送事業者Ｂが提供している場合には、サービス_IDが101、103、105、106のサービスの番組情報は全TSに伝送し、サービス_IDが900〜903のサービスの番組情報は、放送事業者Ａが提供するサービスが伝送されているTS_IDが３、５、６のTSに流すものの、放送事業者Ｂが提供するサービスが伝送されているTS_IDが７のTSには流さないようにするものである。なお、事業者とサービスの対応情報はあらかじめ入力される。
【００８３】
このように本発明の第１７の実施の形態では、放送事業者Ａがサービスを提供しているトランスポートストリーム(TS)において全サブサービスが含まれる個別番組表を表示することが可能となる。
【００８４】
（第１８の実施の形態）
本発明の第１８の実施の形態は、番組情報を受信した放送受信端末での番組表の表示方法に関するものである。上記第４の実施の形態で説明したように、番組情報を受信した放送受信端末のＣＰＵ608は、SDT(Service Description Table)とEIT(Event Information Table)を参照して図３１のような番組表を作成し表示する。
【００８５】
図３１(ａ)のような番組表を見て、視聴者がサブサービスが存在するサービスまたは番組を選択すると、図２４、図２５のSDTの「参照サービス」、「参照TS_ID」からサブサービス番組情報をEITからサブサービスの番組情報を得て、図３１(ｂ)のように表示する。なおEITにサブサービスが存在しない場合は表示しない。
【００８６】
このように本発明の第１８の実施の形態では、サービスが多く存在する場合に、番組表を見やすくすることができ、また視聴者の局及び番組選択を容易にする。さらに番組の場合は”まだら”放送で、短時間の間だけサービスや番組が増えた場合にも対応できる。
【００８７】
（第１９の実施の形態）
本発明の第１９の実施の形態は、図２５に示されるように放送事業者(必ずしも放送事業者でなくても良い)がSDTを作成するに際し、視聴者がメインサービス103を選択したときに最初に放送受信端末が選局するサブサービスを指定できるよう構成したものである。すなわち、上記第５の実施の形態で説明したように図８のトランスポートストリームサービス対応テーブルであるSDTにデフォルト選局フラグが○になっているサービスを選局するのと同様に、放送受信端末600のＣＰＵ608は受信したSDTを見て、「選局指定」に○がついているサブサービスを自動的に選局する。
【００８８】
このように本発明の第１９の実施の形態では、選局される番組を放送事業者が制御できるので、宣伝効果をあげることができる。
【００８９】
（第２０の実施の形態）
本発明の第２０の実施の形態は、図２５に示されるように放送事業者(必ずしも放送事業者でなくても良い)がSDTを作成するに際し、選局可能な視聴者の属性をサービスごとに付与するよう構成したものである。すなわち、放送受信端末は、視聴者がメインサービス103を選択したときにこの視聴者の属性とあらかじめSDTに設定された視聴者の属性を比較し、一致するサブサービスに選局する。たとえば、図２４のサービス_IDが103のメインサービスを選択した視聴者が東海地方に住む65歳であった場合には、図２５のSDT(Service Description Table)からサービス_IDが902のサブサービスが選局される。
【００９０】
このように本発明の第２０の実施の形態では、視聴者の選局の手間が省けるとともに、視聴者の属性に合ったサービスに自動的に選局できる。さらに、年齢制限や地域による制限などにより番組視聴の制限にも応用することができる。
【００９１】
（第２１の実施の形態）
本発明の第２１の実施の形態は、図２５に示されるように放送事業者(必ずしも放送事業者でなくても良い)がSDTを作成するに際し、サービスにジャンルの記述欄を付与するよう構成したものである。たとえば、視聴者が「映画」に興味があることがセンタ側に登録されていた場合には、サービス_IDが900のサブサービスを選局する。また、視聴者がセンタ側にあらかじめ登録しなくても、視聴履歴からセンタ側が視聴者の好みを判断してSDTに登録するようにしても良い。
【００９２】
このように本発明の第２１の実施の形態では、視聴者の選局の手間が省けるとともに、視聴者の好みに合ったサービスに自動的に選局できる。
【００９３】
【発明の効果】
以上のように本発明によれば、１つのチャンネルだけに番組情報を記述するので、伝送する番組情報の重複をなくして伝送効率を向上させることができるという効果を有する。また、同一番組は１つとして記述されるため、番組表がわかりやすくなる。
【図面の簡単な説明】
【図１】本発明の第１の実施の形態の放送センタ側の全体構成を示す図、
【図２】サービス100のSDT及びEIT(actual)の内容、
【図３】サービス100のSDT及びEIT(other)の内容、
【図４】本発明の第２の実施の形態の放送センタ側の全体構成を示す図、
【図５】本発明の第３の実施の形態の放送センタ側の全体構成を示す図、
【図６】本発明に係る受信端末装置の一般的な構成を示す図、
【図７】本発明の第４の実施の形態を説明するための共通番組情報に係るBAT、NIT等の内容、
【図８】本発明の第４の実施の形態を説明するための個別番組情報に係るEIT、SDTの内容、
【図９】本発明の第４の実施の形態に係る伝送されるTSの様子を示す図、
【図１０】本発明の第４の実施の形態に係る視聴者がＢ局を選択した場合に表示される個別番組表の摸式図、
【図１１】本発明の第５の実施の形態に係るデフォルト選局を説明するため図、
【図１２】本発明の第７の実施の形態に係るジャンル選局を説明する図、
【図１３】本発明の第８の実施の形態に係るイベントリンク情報を付けたEITの内容、
【図１４】本発明の第９の実施の形態に係るイベントリンク情報を付けたEITに基づいて受信端末装置にて表示される番組表の模式図、
【図１５】  本発明の第１０の実施の形態に係る番組の選択法を説明する図、
【図１６】本発明の第１１の実施の形態に係る帯域情報を付けたEITの内容、
【図１７】本発明の第１１の実施の形態に係る番組表の表示例、
【図１８】本発明の第１１の実施の形態に係る番組表の他の表示例、
【図１９】本発明の第１１の実施の形態を説明するためのサービス種と表示幅対応表、
【図２０】本発明の第１２の実施の形態に係る放送事業者、時間、伝送帯域幅による３次元での番組表の表示例、
【図２１】（ａ）番組表上での４時台におけるチャンネル１からチャンネル移動指示例、
（ｂ）本発明の第１３の実施の形態におけるチャンネル表示例、
（ｃ）本発明の第１４の実施の形態におけるチャンネル表示例、
【図２２】本発明の第１５の実施の形態を説明するためのサービスの１具体例、
【図２３】本発明の第１５及び第１６の実施の形態に係るサービスと番組情報の伝送イメージ、
【図２４】本発明の第１５の実施の形態に係るサービス_IDが101、103のメインサービスを記述したSDTの内容、
【図２５】本発明の第１５および第１９乃至２１の実施の形態に係るサービス_IDが101、103、900〜903のメインサービスとサブサービスを記述したSDTの内容、
【図２６】本発明の第１５の実施の形態に係るサービス_IDが101であるEITの記述内容、
【図２７】本発明の第１５の実施の形態に係るサービス_IDが103であるEITの記述内容、
【図２８】本発明の第１５の実施の形態に係るサービス_IDが900から903であるEITの記述内容、
【図２９】本発明の第１６の実施の形態に係るサービスと番組情報の伝送イメージ、
【図３０】本発明の第１７の実施の形態に係るサービスと番組情報の伝送イメージ、
【図３１】（ａ）サブサービスが存在する番組表におけるサービスの選択を示す図、
（ｂ）本発明の第１８の実施の形態に係るサブサービスの番組表を示す図、
【図３２】共通番組表及び個別番組表の例、
【図３３】放送局センターシステムを含む従来から知られている一般的なデジタル放送システムの構成を示したものである。
【符号の説明】
１  番組情報作成部
１’共通番組情報作成部
２  番組情報伝送部
２’番組情報多重化部
３  多重化・変調装置
４  番組情報詳細度設定情報
５  番組情報詳細度
６  番組スケジュール情報
600  放送受信端末
601  チューナ
602  復調回路
603  デマルチプレクサ
604  ＡＶデコーダ
605  セクションデコーダ
606  メモリ
607  受光部
608  ＣＰＵ
610  アンテナ
620  表示装置(TVモニタ)
630  リモコン装置
【図１】
0003958249.tif 000003
【図２】
0003958249.tif 000004
【図３】
0003958249.tif 000005
【図４】
0003958249.tif 000006
【図５】
0003958249.tif 000007
【図６】
0003958249.tif 000008
【図７】
0003958249.tif 000009
【図８】
0003958249.tif 000010
【図９】
0003958249.tif 000011
【図１０】
0003958249.tif 000012
【図１１】
0003958249.tif 000013
【図１２】
0003958249.tif 000014
【図１３】
0003958249.tif 000015
【図１４】
0003958249.tif 000016
【図１５】
0003958249.tif 000017
【図１６】
0003958249.tif 000018
【図１７】
0003958249.tif 000019
【図１８】
0003958249.tif 000020
【図１９】
0003958249.tif 000021
【図２０】
0003958249.tif 000022
【図２１】
0003958249.tif 000023
【図２２】
0003958249.tif 000024
【図２３】
0003958249.tif 000025
【図２４】
0003958249.tif 000026
【図２５】
0003958249.tif 000027
【図２６】
0003958249.tif 000028
【図２７】
0003958249.tif 000029
【図２８】
0003958249.tif 000030
【図２９】
0003958249.tif 000031
【図３０】
0003958249.tif 000032
【図３１】
0003958249.tif 000033
【図３２】
0003958249.tif 000034
【図３３】
0003958249.tif 000035